(57)【要約】【課題】発信者と着信者との双方が互いにコミュニケーションをとりたい者同士である場合に、できるだけ早く通話を行うことを可能とする留守番電話装置、及び、接続方法を提供する。【解決手段】発信端末４０ａから着信端末４０ｂ宛に発信した時に着信端末４０ｂが着信可能な状態になかった場合に、発信端末４０ａは留守番電話装置１０と接続し、発信者は着信者宛のメッセージを発声する。留守番電話装置１０のメッセージ蓄積部１２は、発信端末４０ａから送信されてきたメッセージを蓄積する。再生可否確認部１４は、着信端末４０ｂが着信可能な状態となった場合に、メッセージ蓄積部１２により蓄積された着信者宛のメッセージを再生するか否かを確認するためのガイダンスを着信端末４０ｂに送信する。二者接続部１３は、発信端末４０ａと着信端末４０ｂとを接続する。【選択図】図２
2010239387.tif 000002
【特許請求の範囲】
【請求項１】
発信者の利用する発信端末から着信者の利用する着信端末宛に発信した時に該着信端末が着信可能な状態になかった場合に、前記発信端末を自装置と接続させる留守番接続手段を備えた留守番電話装置であって、
前記留守番接続手段により前記発信端末と接続された後に、該発信端末から送信されてきた前記着信者宛のメッセージを蓄積するメッセージ蓄積手段と、
前記着信端末が着信可能な状態となった場合に、前記メッセージ蓄積手段により蓄積された前記着信者宛のメッセージを再生するか否かを確認するためのガイダンスを前記着信端末に送信する再生可否確認手段と、
前記着信端末が着信可能な状態となった場合に、前記発信端末と前記着信端末とを接続する二者接続手段と
を備えたことを特徴とする留守番電話装置。
【請求項２】
前記再生可否確認手段は、前記二者接続手段による接続が行われる前に、前記ガイダンスを前記着信端末に送信すること特徴とする請求項１に記載の留守番電話装置。
【請求項３】
前記再生可否確認手段は、前記二者接続手段による接続が行われる前に前記メッセージが再生されなかった場合、前記接続手段による接続が切断された後に前記ガイダンスを前記着信端末に送信することを特徴とする請求項２に記載の留守番電話装置。
【請求項４】
前記二者接続手段による接続が行われる前に、前記発信端末と接続するか否かを確認するためのガイダンスを前記着信端末に送信する接続可否確認手段をさらに備えたことを特徴とする請求項１から３の何れか１項に記載の留守番電話装置。
【請求項５】
発信者の利用する発信端末から着信者の利用する着信端末宛に発信した時に該着信端末が着信可能な状態になかった場合、前記発信端末が留守番電話装置と接続する留守番電話接続ステップと、
前記発信端末が、前記発信者により入力された前記着信者宛のメッセージを前記留守番電話装置に送信するメッセージ送信ステップと、
前記留守番電話装置が、前記メッセージ送信ステップにおいて前記発信端末から送信されてきた前記着信者宛のメッセージを蓄積するメッセージ蓄積ステップと、
前記着信端末が着信可能な状態となった場合に、前記留守番電話装置が、前記メッセージ蓄積ステップにおいて蓄積された前記着信者宛のメッセージを再生するか否かを確認するためのガイダンスを前記着信端末に送信する再生可否確認ステップと、
前記着信端末が着信可能な状態となった場合に、前記留守番電話装置が、前記発信端末と前記着信端末とを接続する二者間接続ステップと
を備えたことを特徴とする接続方法。
【発明の詳細な説明】
【技術分野】
【０００１】
本発明は、発信者から着信者宛のメッセージを蓄積し再生する留守番電話装置、及び、発信端末と着信端末との接続方法に関する。
【背景技術】
【０００２】
従来の移動通信システムにおいては、発信側の移動通信端末（以下「発信端末」という）から着信側の移動通信端末（以下「着信端末」という）に発呼した時に、着信端末が、移動通信サービスの圏外にある、電源がＯＦＦになっている、他の端末と通信中である、着信を留守番電話サービスセンタに強制接続するモードに設定されている等で、着信端末が着信可能な状態にないことがある。このような時に、発信者が着信者と早めに直接コミュニケーションをとりたい場合には、発信者は、着信端末が着信可能な状態となり着信端末と接続できるまで、何度も再発呼の操作を行う必要があった。
【０００３】
このような問題点を解決するための技術として、着信端末が着信可能な状態となるまでの監視や再発呼を、発信側に負担をかけることなく実現する技術が存在する（例えば、特許文献１参照）。特許文献１では、発信端末が着信端末の呼び出しに失敗した場合に、発信者は自身の発信端末を「サービスセンタ呼出モード」に設定することにより、その後の処理の代行をサービスセンタに依頼する。そして、着信端末が圏内復帰してサービスセンタからの呼出しに応答した時に、発信端末と着信端末とを自動接続する。
【先行技術文献】
【特許文献】
【０００４】
【特許文献１】特開平１１−１６４３６１号公報
【発明の概要】
【発明が解決しようとする課題】
【０００５】
しかしながら、特許文献１では、発信者による再発呼の負担を軽減することはできるが、着信者の都合が全く考慮されていない。例えば、発信者が早めにコミュニケーションをとりたいと思っていても、着信者はコミュニケーションを取りたくない場合もあるし、発信者が誰か分らない場合には応答したくないと思っている場合もあるし、そもそも着信に応答できる状態にない場合もある。発信者と着信者との双方が互いにコミュニケーションをとりたい者同士である場合に、端末間の通信を接続するのが好ましい。
本発明は、上記の従来技術の問題点を解決するためになされたものであり、発信者と着信者との双方が互いにコミュニケーションをとりたい者同士である場合に、できるだけ早く通話を行うことを可能とする留守番電話装置、及び、接続方法を提供することを目的とする。
【課題を解決するための手段】
【０００６】
上記課題を解決するために、請求項１に記載の留守番電話装置は、発信者の利用する発信端末から着信者の利用する着信端末宛に発信した時に該着信端末が着信可能な状態になかった場合に、前記発信端末を自装置と接続させる留守番接続手段を備えた留守番電話装置であって、前記留守番接続手段により前記発信端末と接続された後に、該発信端末から送信されてきた前記着信者宛のメッセージを蓄積するメッセージ蓄積手段と、前記着信端末が着信可能な状態となった場合に、前記メッセージ蓄積手段により蓄積された前記着信者宛のメッセージを再生するか否かを確認するためのガイダンスを前記着信端末に送信する再生可否確認手段と、前記着信端末が着信可能な状態となった場合に、前記発信端末と前記着信端末とを接続する二者接続手段とを備えたことを特徴とする。
【０００７】
本発明によれば、留守番電話装置は、着信端末が着信可能な状態となった場合に動作する手段として、着信者宛のメッセージを再生するか否かを確認するためのガイダンスを着信端末に送信する再生可否確認手段と、発信端末と着信端末とを接続する二者接続手段とを備えている。したがって、発信者は再発呼の動作を行わなくても着信端末が着信可能な状態となった場合に発信端末と着信端末とを自動的に接続することができる。さらに、着信者側では、発信者のメッセージを聞くことにより、発信者は誰か及び要件は何かを確認することができる。したがって、発信者と着信者との双方が互いにコミュニケーションをとりたい者同士である場合に、できるだけ早く通話を行うことが可能となる。
【０００８】
請求項２に記載の留守番電話装置は、請求項１において、前記再生可否確認手段は、前記接続手段による接続が行われる前に、前記ガイダンスを前記着信端末に送信すること特徴とする。
本発明によれば、発信端末と着信端末との接続が行われる前に、着信者宛のメッセージを再生するか否かを確認するためのガイダンスを前記着信端末に送信するため、着信者は、メッセージを聞いて要件を確認してから発信者と通話することもできるし、メッセージを聞かずに発信者と通話することもできる。このように、着信者は都合に応じて、接続前にメッセージを再生するか否かを選択することができ、使い勝手がよい。
【０００９】
請求項３に記載の留守番電話装置は、請求項２において、前記再生可否確認手段は、前記接続手段による接続が行われる前に前記メッセージが再生されなかった場合、前記接続手段による接続が切断された後に前記ガイダンスを前記着信端末に送信することを特徴とする。
本発明によれば、着信者は、都合やニーズに応じて、発信者との通話前又は通話後にメッセージを聞くことができる。
【００１０】
請求項４に記載の留守番電話装置は、請求項１から３の何れか１項において、前記二者接続手段による接続が行われる前に、前記発信端末と接続するか否かを確認するためのガイダンスを前記着信端末に送信する接続可否確認手段をさらに備えたことを特徴とする。
本発明によれば、着信者の意思を確認した上で発信端末と着信端末とを接続するため、発信者と着信者との双方が互いにコミュニケーションをとりたい者同士である場合にのみ、発信端末と着信端末とを接続することができる。
【００１１】
請求項５に記載の接続方法は、発信者の利用する発信端末から着信者の利用する着信端末宛に発信した時に該着信端末が着信可能な状態になかった場合、前記発信端末が留守番電話装置と接続する留守番電話接続ステップと、前記発信端末が、前記発信者により入力された前記着信者宛のメッセージを前記留守番電話装置に送信するメッセージ送信ステップと、前記留守番電話装置が、前記メッセージ送信ステップにおいて前記発信端末から送信されてきた前記着信者宛のメッセージを蓄積するメッセージ蓄積ステップと、前記着信端末が着信可能な状態となった場合に、前記留守番電話装置が、前記メッセージ蓄積ステップにおいて蓄積された前記着信者宛のメッセージを再生するか否かを確認するためのガイダンスを前記着信端末に送信する再生可否確認ステップと、前記着信端末が着信可能な状態となった場合に、前記留守番電話装置が、前記発信端末と前記着信端末とを接続する二者間接続ステップとを備えたことを特徴とする。
【００１２】
本発明によれば、留守番電話装置は、着信端末が着信可能な状態となった場合に、着信者宛のメッセージを再生するか否かを確認するためのガイダンスを着信端末に送信するとともに、発信端末と着信端末とを接続する。したがって、発信者は再発呼の動作を行わなくても着信端末が着信可能な状態となった場合に発信端末と着信端末とを自動的に接続することができる。さらに、着信者側では、発信者のメッセージを聞くことにより、発信者は誰か及び要件は何かを確認することができる。したがって、発信者と着信者との双方が互いにコミュニケーションをとりたい者同士である場合に、できるだけ早く通話を行うことが可能となる。
【発明の効果】
【００１３】
本発明によれば、留守番電話装置は、着信端末が着信可能な状態となった場合に動作する手段として、着信者宛のメッセージを再生するか否かを確認するためのガイダンスを着信端末に送信する再生可否確認手段と、発信端末と着信端末とを接続する二者接続手段とを備えている。したがって、発信者は再発呼の動作を行わなくても着信端末が着信可能な状態となった場合に発信端末と着信端末とを自動的に接続することができる。さらに、着信者側では、発信者のメッセージを聞くことにより、発信者は誰か及び要件は何かを確認することができる。したがって、発信者と着信者との双方が互いにコミュニケーションをとりたい者同士である場合に、できるだけ早く通話を行うことが可能となる。
【図面の簡単な説明】
【００１４】
【図１】本発明の実施形態に係る移動通信ネットワークの全体構成を示す図である。
【図２】同実施形態に係る移動通信ネットワークの動作例を示すシーケンス図である。
【図３】同実施形態に係る移動通信ネットワークの動作例を示すシーケンス図である。
【図４】同実施形態に係る移動通信ネットワークの動作例を示すシーケンス図である。
【発明を実施するための形態】
【００１５】
以下、本発明の実施形態を、図面を参照して説明する。なお、以下の説明において参照する各図では、他の図と同等の構成要素は同一符号によって示されている。
（システム全体の構成）
図１は、本発明の実施形態に係る移動通信ネットワークの全体構成図である。同図に示すように、移動通信ネットワークは、移動通信端末４０と、移動通信端末４０を利用するユーザの加入者情報及び在圏情報を管理する加入者情報サーバ３０と、在圏する移動通信端末４０の通信を制御する交換機２０と、移動通信端末４０に留守番電話サービスを提供する留守番電話装置１０とを含んで構成される。移動通信ネットワークを構成するこれらの各構成要素は、ＣＰＵ（Central Processing Unit）と、各種ソフトウェアを記憶するＲＡＭ（Random Access Memory）、ＲＯＭ（Read Only Memory）、ハードディスク等を含む記憶装置と、通信を制御する通信インターフェースとを備えている。
【００１６】
（留守番電話装置の構成）
次に、留守番電話装置１０の機能構成について説明する。図１に示すように、留守番電話装置１０は、留守番接続部１１と、メッセージ蓄積部１２と、二者接続部１３と、再生可否確認部１４と、接続可否確認部１５とを備えている。
留守番接続部１１は、発信者の利用する移動通信端末４０（以下「発信端末４０ａ」という）が着信者の利用する移動通信端末４０（以下「着信端末４０ｂ」という）に発信した時に着信端末４０ｂが着信可能な状態になかった場合に、着信端末４０ｂが留守番電話サービス契約に加入している場合には、発信端末４０ａと接続する。ここで、「着信端末４０ｂが着信可能な状態にない場合」には、例えば、着信端末４０ｂが移動通信サービスの圏外にある、電源がＯＦＦとなっている、他の端末と通信中である、着信を留守番電話装置１０に強制接続するモードに設定されている場合等が存在する。
【００１７】
メッセージ蓄積部１２は、留守番接続部１１により接続された発信端末４０ａから、発信者により入力された着信者宛のメッセージを受信した場合に、当該メッセージを記憶装置に蓄積する。
二者接続部１３は、着信端末４０ｂが着信可能な状態となった場合に、発信端末４０ａと着信端末４０ｂとを通信可能に接続する。ここで、「着信端末４０ｂが着信可能な状態になった場合」には、着信端末４０ｂが移動通信サービスの圏内に復帰した場合、電源がＯＮとなった場合、他の端末との通信が終了した場合、留守番電話装置１０に強制接続するモードが解除された場合等が存在する。
【００１８】
再生可否確認部１４は、着信端末４０ｂが着信可能な状態となった場合に、メッセージ蓄積部１２により蓄積された着信者宛のメッセージを再生するか否かを確認するためのガイダンスを着信端末４０ｂに送信する。
本実施形態では、再生可否確認部１４は、二者接続部１３による接続が行われる前に、前記ガイダンスを着信端末４０ｂに送信する。前記ガイダンスを送信しても二者接続部１３による接続が行われる前にメッセージが再生されなかった場合、再生可否確認部１４は、二者接続部１３による接続が切断された後に、前記ガイダンスを着信端末４０ｂに送信する。
接続可否確認部１５は、二者接続部１３による接続が行われる前に、発信端末４０ａと接続するか否かを確認するためのガイダンスを着信端末４０ｂに送信する。
【００１９】
（動作例）
次に、図２〜図４に示すシーケンス図を参照して、上記構成における移動通信ネットワークの動作例について説明する。ここでは、着信端末４０ｂが着信可能な状態になった場合の一例として、着信端末４０ｂが圏内復帰した場合について説明する。また、発信端末４０ａが在圏する交換機２０を「発側交換機２０ａ」、着信端末４０ｂが在圏する交換機２０を「着側交換機２０ｂ」として説明する。
【００２０】
まず、発信者は、発信端末４０ａを操作して着信者番号を入力し、発呼の指示を行う（図２のステップＳ１０１）。これにより、発信端末４０ａは、発信者番号と着信者番号とを含む接続要求を送信する（ステップＳ１０２）。
接続要求を受信した発側交換機２０ａは、接続先を判定するために、ルーチング情報の問合せを加入者情報サーバ３０に対して行う（ステップＳ１０３）。
【００２１】
加入者情報サーバ３０は、ルーチング情報の問合せを受けると、着信端末４０ｂの位置を問い合わせる（ステップＳ１０４）。着側交換機２０ｂは、加入者情報サーバ３０から問合せを受けると、配下の基地局を介して着信端末４０ｂの位置を問い合わせる（ステップＳ１０５）。着信端末４０ｂは、問合せに対して応答する（ステップＳ１０６）。なお、着信端末４０ｂが圏外にあったり、電源がＯＦＦされている場合には、着信端末４０ｂは応答できない。着側交換機２０ｂは、応答結果に基づいて、着信端末４０ｂの位置を加入者情報サーバ３０に応答する（ステップＳ１０７）。
【００２２】
加入者情報サーバ３０は、着信端末４０ｂからの応答が確認できない、或いは着信端末４０ｂが留守番電話装置１０に強制接続するモードに設定されている等で、着信端末４０ｂが着信可能な状態にない場合、留守番電話装置１０に接続するために、着信者番号から該当する留守番電話装置１０へのルーチング情報を割り出す（ステップＳ１０８）。なお、ここでは、着信端末４０ｂは圏外にあり、応答できなかったものとする。
【００２３】
加入者情報サーバ３０は、当該ルーチング情報を発側交換機２０ａに送信する（ステップＳ１０９）。発側交換機２０ａは、ルーチング情報を加入者情報サーバ３０から受信すると、接続要求を留守番電話装置１０に送信する（ステップＳ１１０）。留守番電話装置１０の留守番接続部１１は、接続要求に対する応答を返信する（ステップＳ１１１）。これにより、発信端末４０ａと留守番電話装置１０とが接続される。
【００２４】
ステップＳ１１２においては、留守番電話装置１０はメッセージの録音を促すガイダンスを発信端末４０ａに送信する。発信端末４０ａは受信したガイダンスを再生する。発信者はガイダンスに従って着信者宛のメッセージを発声する。発信端末４０ａは入力されたメッセージを留守番電話装置１０に送信する。留守番電話装置１０のメッセージ蓄積部１２は、発信端末４０ａから受信したメッセージをメッセージ蓄積部１２に蓄積する。
【００２５】
次に、発信端末４０ａは切断要求を送信し（ステップＳ１１３）、留守番電話装置１０は当該切断要求に対する返信を送信する（ステップＳ１１４）。これにより、発信端末４０ａと留守番電話装置１０との接続は切断される。
その後、着信端末４０ｂが圏内復帰した場合（図３のステップＳ１１５）、その旨の信号を加入者情報サーバ３０に送信する（ステップＳ１１６）。これにより、加入者情報サーバ３０は、圏内復帰通知を留守番電話装置１０に送信する（ステップＳ１１７）。
【００２６】
留守番電話装置１０は、圏内復帰通知を受けると、まず、着信端末４０ｂにガイダンスを送信するために、着信端末４０ｂとの音声接続を行う（ステップＳ１１８）。具体的には、留守番電話装置１０は、音声接続要求を着側交換機２０ｂに送信する（ステップＳ１１９）。着側交換機２０ｂは、着信端末４０ｂの加入者情報及び在圏情報の問合せを加入者情報サーバ３０に対して行う（ステップＳ１２０）。加入者情報サーバ３０は問合せを受けると、データベースから着信端末４０ｂの加入者情報及び在圏情報を取得して、問合せに対する応答を行う（ステップＳ１２１）。
【００２７】
着側交換機２０ｂは、加入者情報サーバ３０から受信した着信端末４０ｂの加入者情報及び在圏情報に基づいて、音声接続要求を着信端末４０ｂに送信する（ステップＳ１２２）。着信端末４０ｂは、音声接続要求に対する応答を着側交換機２０ｂに送信する（ステップＳ１２３）。着側交換機２０ｂは、着信端末４０ｂから応答を受信すると、音声接続応答を留守番電話装置１０に送信する（ステップＳ１２４）。これにより、留守番電話装置１０と着信端末４０ｂとが接続される。
【００２８】
留守番電話装置１０の再生可否確認部１４及び接続可否確認部１５は、着信者に対して、発信者から着信者宛のメッセージを再生するか否か、及び、発信端末４０ａと接続するか否かを確認するために、「○○さんから通話接続要求がきています。接続しますか？接続する場合ボタン１を押してください。接続前にメッセージを聞きますか？メッセージを聞く場合ボタン２を押してください。切断しますか？切断する場合ボタン３を押してください。」というガイダンスを着信端末４０ｂに送信する（ステップＳ１２５）。
【００２９】
着信端末４０ｂは、留守番電話装置１０から受信したガイダンスを再生する。着信者は、ガイダンスに従って、所望のボタンを押下する。これにより、着信端末４０ｂは、押下されたボタンに対応するＤＴＭＦ（Dual Tone Multiple Frequency）信号を送信する（ステップＳ１２６）。
留守番電話装置１０は受信したＤＴＭＦ信号を解析し、ＤＴＭＦ信号が「３」を表す場合、接続可否確認部１５は、着信者が発信端末４０ａと接続しないことを選択したと判断し、着信端末４０ｂとの接続を切断する（ステップＳ１２７）。
【００３０】
一方、ＤＴＭＦ信号が「２」を表す場合、留守番電話装置１０の再生可否確認部１４は、着信者がメッセージを聞くことを選択したと判断し、メッセージ蓄積部１２に蓄積されている発信者から着信者宛のメッセージを取得して、着信端末４０ｂに送信する（ステップＳ１２８）。そして、留守番電話装置１０は、メッセージ蓄積部１２に蓄積されている発信者から着信者宛のメッセージが再生されたことを示す情報を記録する。
【００３１】
一方、ＤＴＭＦ信号が「１」を表す場合、着信者が発信端末４０ａと接続することを選択したと判定し（図４のステップＳ１２９）、留守番電話装置１０の二者接続部１３は、「接続します。おまちください。」というガイダンスを着信端末４０ｂに送信する（ステップＳ１３０）。そして、二者接続部１３は、発信端末４０ａと着信端末４０ｂとを通話可能な状態をするための音声接続を行う（ステップＳ１３１）。具体的には、二者接続部１３は、音声接続要求を発側交換機２０ａに送信する（ステップＳ１３２）。発側交換機２０ａは、音声接続要求を受信すると、加入者情報サーバ３０に対して発信端末４０ａの加入者情報及び在圏情報の問合せを行う（ステップＳ１３３）。加入者情報サーバ３０は、発信端末４０ａの加入者情報及び在圏情報をデータベースから取得して、応答を行う（ステップＳ１３４）。
【００３２】
発側交換機２０ａは、応答を受けると、発信端末４０ａの加入者情報及び在圏情報に基づいて、音声接続要求を発信端末４０ａに送信する（ステップＳ１３５）。発信端末４０ａは、音声接続要求に対する応答を発側交換機２０ａに送信する（ステップＳ１３６）。発側交換機２０ａは、発信端末４０ａからの応答を受信すると、音声接続要求応答を留守番電話装置１０に送信する（ステップＳ１３７）。これにより、発信端末４０ａと着信端末４０ｂとが接続されて、発信者と着信者とは音声通話を行うことができる状態となる（ステップＳ１３８）。発信者と着信者との通話が終了し、発信端末４０ａと着信端末４０ｂとの通信が切断されると、各装置間のパスが切断される（ステップＳ１３９、Ｓ１４０、Ｓ１４１）。
【００３３】
留守番電話装置１０は、切断を検知すると、着信端末４０ｂと発信端末４０ａとが接続される前にメッセージ蓄積部１２に蓄積されている発信者から着信者宛のメッセージが再生されたか否かを確認する。当該メッセージが再生されていないと判断した場合、再生可否確認部１４は、着信端末４０ｂと接続して、着信者にメッセージを再生するか否かを確認する処理を行う（ステップＳ１４２）。
【００３４】
具体的には、再生可否確認部１４は、接続要求を着側交換機２０ｂに送信する（ステップＳ１４３）。着側交換機２０ｂと着信端末４０ｂとは、接続要求／応答を送受信し（ステップＳ１４４）、着側交換機２０ｂは、接続要求応答を留守番電話装置１０に送信する（ステップＳ１４５）。これにより、着信端末４０ｂと留守番電話装置１０とは接続され、再生可否確認部１４は、「○時○分に預かっているメッセージを再生しますか？」というガイダンスを着信端末４０ｂに送信する（ステップＳ１４６）。着信端末４０ｂは、留守番電話装置１０から受信したガイダンスを再生する。着信者は、ガイダンスに従って着信端末４０ｂのボタンを押下する。これにより、着信端末４０ｂは、押下されたボタンに対応するＤＴＭＦ信号を送信する（ステップＳ１４７）。
【００３５】
再生可否確認部１４は、着信端末４０ｂから受信したＤＴＭＦ信号を解析し（ステップＳ１４８）、当該ＤＴＭＦ信号がメッセージの再生を希望する旨を表している場合には、「メッセージを再生します。」というガイダンスを着信端末４０ｂに送信した後、メッセージ蓄積部１２に蓄積されている発信者から着信者宛のメッセージを取得して、着信端末４０ｂに送信する（ステップＳ１４９）。一方、ＤＴＭＦ信号がメッセージの再生を希望しない旨を表している場合には、着信端末４０ｂとの接続を切断する処理を行う（ステップＳ１５０）。
【００３６】
以上説明したように、留守番電話装置１０は、着信端末４０ｂが着信可能な状態となった場合に、着信者宛のメッセージを再生するか否かを確認するためのガイダンスを着信端末４０ｂに送信し、自動的に発信端末４０ａと着信端末４０ｂとを接続するため、発信者は再発呼の動作を行う必要がなくなるのに加えて、着信者はメッセージを聞くことにより発信者は誰か及び要件は何かを確認することもできるし、メッセージを聞かずに着信者と通話を行うこともできる。したがって、発信者と着信者との双方が互いにコミュニケーションをとりたい者同士である場合に、できるだけ早く通話を行うことが可能となる。
【００３７】
また、着信者はメッセージを再生するタイミングを選択することができるため、利便性が高まる。また、着信者は接続を拒否することもできるため、発信者と着信者との双方が互いにコミュニケーションをとりたい者同士である場合にのみ、接続することができる。
なお、上述した動作例では、着信端末４０ｂが着信可能な状態になった場合の一例として、着信端末４０ｂが圏内復帰した場合について説明したが、これに限らず、着信端末４０ｂの電源がＯＮとなった場合、着信端末４０ｂと他の端末との通信が終了した場合、着信端末４０ｂの留守番電話装置１０に強制接続するモードが解除された場合にも、同様に本発明を適用可能である。
【００３８】
また、上述した実施形態においては、再生可否確認部１４は、二者接続部１３により発信端末４０ａ及び着信端末４０ｂが接続する前と、当該接続が切断された後との両方のタイミングで、メッセージを再生するか否かを確認するガイダンスを送信したが、これに限らず、接続前にガイダンスを送信せずに、当該接続が切断された後にのみ送信してもよい。
【００３９】
また、上述した実施形態では、着信者に発信端末４０ａと接続するか否かを確認するためのガイダンスと、メッセージを再生するか否かを確認するためのガイダンスとを同時に着信端末４０ｂに送信したが、これに限らず、例えば、メッセージを再生するか否かを確認するためのガイダンスを送信した後に、発信端末４０ａと接続するか否かを確認するためのガイダンスを送信してもよい。
また、上述した実施形態における移動通信ネットワークの装置構成は一例であり、例えば、留守番電話装置１０が備える機能を交換機２０や加入者情報サーバ３０に設けることも可能である。
【符号の説明】
【００４０】
１０    留守番電話装置
１１    留守番接続部
１２    メッセージ蓄積部
１３    二者接続部
１４    再生可否確認部
１５    接続可否確認部
２０    交換機
２０ａ  発側交換機
２０ｂ  着側交換機
３０    加入者情報サーバ
４０    移動通信端末
４０ａ  発信端末
４０ｂ  着信端末
【図１】
2010239387.tif 000003
【図２】
2010239387.tif 000004
【図３】
2010239387.tif 000005
【図４】
2010239387.tif 000006